(57)【特許請求の範囲】
【請求項１】
ｋ（ｋは１≦ｋを満たす整数）個の第１の波長分離部であって、その各々は互いに異なる波長を有するｎ（ｎは１≦ｎを満たす整数）個の光信号を波長分割多重して得られたＷＤＭ信号光を供給されて、ｎ個の光信号に分離する第１の波長分離部と、
ｋ個の波長群生成部であって、その各々は上記各第１の波長分離部から出力されたｎ個の光信号を供給されて、各々ｍ（ｍは１≦ｍを満たす整数）個の複数の対応する波長を有するｉ（ｉはｎ＝ｉｍを満たす整数）個の波長群を生成する波長群生成部と、
ｉｋ個の第１の波長多重部であって、その各々は上記各波長群生成部から出力された各波長群を供給されて、上記各波長群を波長分割多重してその結果得られたＷＤＭ波長群を出力する第１の波長多重部と、
少なくともそれぞれｉｋ個の入力ポート及び出力ポートを有し、上記入力及び出力ポート間で上記ＷＤＭ波長群をルーティングするルーティング部と、
ｉｋ個の第２の波長分離部であって、その各々は上記ルーティング部の各出力ポートから出力された上記ＷＤＭ波長群を供給されて、ｍ個の波長を有する波長群を出力する第２の波長分離部と、
ｋｎ個の波長変換部であって、その各々は上記第２の波長分離部から出力された上記波長群の各光信号を上記ＷＤＭ信号光に対応するように波長変換する波長変換部と、
ｋ個の第２の波長多重部であって、その各々は上記波長変換部から出力されたｎ個の光信号を波長分割多重してその結果得られたＷＤＭ信号光を出力する第２の波長多重部とを備え、
上記各波長群生成部は、それぞれｎ個の入力ポート及び出力ポートを有し、上記入力及び出力ポート間で信号光のスイッチングをする光スイッチと、上記光スイッチのｎ個の各出力ポートから出力される光信号の波長を各々ｍ（ｍは１≦ｍを満たす整数）個の複数の対応する波長に変換するｎ個の波長変換部とを具備した光クロスコネクト装置。
【請求項２】
ｋ（ｋは１≦ｋを満たす整数）個の第１の波長分離部であって、その各々は互いに異なる波長を有するｎ（ｎは１≦ｎを満たす整数）個の光信号を波長分割多重して得られたＷＤＭ信号光を供給されて、ｎ個の光信号に分離する第１の波長分離部と、
ｋ個の波長群生成部であって、その各々は上記各第１の波長分離部から出力されたｎ個の光信号を供給されて、各々ｍ（ｍは１≦ｍを満たす整数）個の複数の対応する波長を有するｉ（ｉはｎ＝ｉｍを満たす整数）個の波長群を生成する波長群生成部と、
ｉｋ個の第１の波長多重部であって、その各々は上記各波長群生成部から出力された各波長群を供給されて、上記各波長群を波長分割多重してその結果得られたＷＤＭ波長群を出力する第１の波長多重部と、
少なくともそれぞれｉｋ個の入力ポート及び出力ポートを有し、上記入力及び出力ポート間で上記ＷＤＭ波長群をルーティングするルーティング部と、
ｉｋ個の第２の波長分離部であって、その各々は上記ルーティング部の各出力ポートから出力された上記ＷＤＭ波長群を供給されて、ｍ個の波長を有する波長群を出力する第２の波長分離部と、
ｋｎ個の波長変換部であって、その各々は上記第２の波長分離部から出力された上記波長群の各光信号を上記ＷＤＭ信号光に対応するように波長変換する波長変換部と、
ｋ個の第２の波長多重部であって、その各々は上記波長変換部から出力されたｎ個の光信号を波長分割多重してその結果得られたＷＤＭ信号光を出力する第２の波長多重部とを備え、
上記各波長群生成部は、上記第１の波長分離部によりｎ個に分離された各光信号を電気信号にするｎ個の光／電気変換部と、それぞれｎ個の入力ポート及び出力ポートを有し、上記の光／電気変換部に変換されたｎ個の電気信号が供給され、上記入力及び出力ポート間で電気信号のスイッチングをする電気スイッチ部と、上記電気スイッチ部のｎ個の各出力ポートから出力される電気信号を各々ｍ（ｍは１≦ｍを満たす整数）個の複数の対応する波長の光信号に変換するｎ個の電気／光変換部とを具備した光クロスコネクト装置。
【請求項３】
ｋ（ｋは１≦ｋを満たす整数）個の第１の波長分離部であって、その各々は互いに異なる波長を有するｎ（ｎは１≦ｎを満たす整数）個の光信号を波長分割多重して得られたＷＤＭ信号光を供給されて、ｎ個の光信号に分離する第１の波長分離部と、
ｋ個の波長群生成部であって、その各々は上記各第１の波長分離部から出力されたｎ個の光信号を供給されて、各々ｍ（ｍは１≦ｍを満たす整数）個の複数の対応する波長を有するｉ（ｉはｎ＝ｉｍを満たす整数）個の波長群を生成する波長群生成部と、
ｉｋ個の第１の波長多重部であって、その各々は上記各波長群生成部から出力された各波長群を供給されて、上記各波長群を波長分割多重してその結果得られたＷＤＭ波長群を出力する第１の波長多重部と、
少なくともそれぞれｉｋ個の入力ポート及び出力ポートを有し、上記入力及び出力ポート間で上記ＷＤＭ波長群をルーティングするルーティング部と、
ｉｋ個の第２の波長分離部であって、その各々は上記ルーティング部の各出力ポートから出力された上記ＷＤＭ波長群を供給されて、ｍ個の波長を有する波長群を出力する第２の波長分離部と、
ｋｎ個の波長変換部であって、その各々は上記第２の波長分離部から出力された上記波長群の各光信号を上記ＷＤＭ信号光に対応するように波長変換する波長変換部と、
ｋ個の第２の波長多重部であって、その各々は上記波長変換部から出力されたｎ個の光信号を波長分割多重してその結果得られたＷＤＭ信号光を出力する第２の波長多重部とを備え、
上記各波長群生成部は、上記第１の波長分離部によりｎ個に分離された各光信号をｊ（ｊは２≦ｊを満たす整数）個の低速の時分割分離信号に分離するｎ個の時分割信号分離部と、それぞれｎｊ個の入力ポート及び出力ポートを有し、上記ｎ個の時分割信号分離部より出力されたｎｊ個の時分割分離信号が供給され、上記入力及び出力ポート間でスイッチングをする時分割信号空間スイッチ部と、上記時分割信号空間スイッチ部のｎｊ個の各出力ポートから出力されるｊ個の時分割分離信号を時分割多重信号に多重化し、該時分割多重信号を各々ｍ（ｍは１≦ｍを満たす整数）個の複数の対応する波長の光信号に変換するｎ個の時分割信号多重部とを具備した光クロスコネクト装置。
【発明の詳細な説明】
【０００１】
【発明の属する技術分野】
本発明は、一般的に、光クロスコネクト装置に関し、特に、ＷＤＭ（波長分割多重）における波長数の増加に対応した大規模な光ネットワークを構築するのに適した光クロスコネクト装置及びその装置を備えたシステムに関する。
【０００２】
【従来の技術】
情報伝達の高速化及び大容量化に伴い、ネットワーク及び伝送システムの広帯域化及び大容量化が要求されている。その一つの実現手段として、ＷＤＭ（波長分割多重）をベースとした光ネットワークの構築が望まれている。光ネットワークを構築する上で核となる装置が光クロスコネクト装置（光ＸＣ）である。
【０００３】
図１を参照すると、光クロスコネクト装置及び光ネットワークの構成例が示されている。光クロスコネクト装置２には、複数の入力側の光伝送路４及び出力側の光伝送路６が接続されている。光クロスコネクト装置２は、入力側の光伝送路４から供給される波長分割多重された光信号（波長λ1からλn）を波長毎に所望の出力側の光伝送路６にルーティングする装置である。光クロスコネクト装置間の局間リンクには、長距離伝送の場合、通常、光信号の減衰を補償するための光アンプ８が挿入される。光クロスコネクト装置２は、局内リンクを介して他の通信装置、例えば電気クロスコネクト装置（電気ＸＣ）１０と接続される。そして、これらの装置はネットワーク全体を管理しているオペレーションシステム１２により制御される。
【０００４】
一方、伝送容量の増加に伴い、光ネットワークでは、波長分割多重における波長数が急激に増加してきている。波長数が増加すると、光クロスコネクト装置に必要な光スイッチの規模が大きくなりすぎ、光クロスコネクト装置が複雑になりすぎてしまう。このように、波長数の増加に対応した大規模な光ネットワークを構築するのに適した光クロスコネクト装置が要望されている。
【０００５】
図２は従来の光クロスコネクト装置の構成例を示すブロック図である。入力光伝送路４からの波長分割多重されて入力された光信号は、波長分離部１４で各波長毎に分離され、各光信号は第１の波長変換部１６に供給される。第１の波長変換部１６は、供給された光信号を一端電気信号に変換し、その信号を再生した後、再び所用の波長を有する光信号に変換して光スイッチ１８に供給する。光スイッチ１８は、供給された光信号を波長毎に所望の出力ポートにルーティングする。ルーティングされた光信号は第２の波長変換部２０により伝送路用の波長に変換され、波長多重部２２で再び波長分割多重されて出力光伝送路６に出力される。
【０００６】
図３は従来の他の光クロスコネクト装置の構成例を示すブロック図である。ここでは、第１及び第２の波長変換部１６及び２０（図２参照）に代えてそれぞれ時分割信号分離部２４及び時分割信号多重部２６が用いられ、光スイッチ１８に代えて空間スイッチ２８が設けられている。一つの波長の伝送速度が大きい場合（例えば４０Ｇｂ／ｓ）、これを時分割信号分離部２４により例えば低次の１０Ｇｂ／ｓの電気信号に分割して、これを空間スイッチ２８に供給するようにする。そして、空間スイッチ２８から出力された信号を時分割信号多重部２６により再び時分割多重するとともに光信号に変換し、これを波長多重部２２により波長分割多重するものである。
【０００７】
【発明が解決しようとする課題】
図２及び図３により説明した従来技術では、大容量な光クロスコネクト装置を構成しようとする場合、大規模な光スイッチや空間スイッチ（空間スイッチは電気スイッチ又は光スイッチにより構成される）が必要となり、現状のスイッチング技術では装置の小型化が困難である。また、特に、図２に示される構成では、第１及び第２の波長変換部１６及び２０の各々において光／電気変換及び電気／光変換が必要になるので、波長毎にこれらの変換装置を予め用意しておくのは甚だ効率が悪い。
【０００８】
よって、本発明の目的は、波長数の増加に対応した大規模な光ネットワークを構築するのに適した光クロスコネクト装置及びその装置を備えたシステムを提供することである。本発明の他の目的は以下の説明から明らかになる。
【０００９】
本発明の第１の側面によると、光クロスコネクト装置が提供される。この装置は、ｋ（ｋは１≦ｋを満たす整数）個の第１の波長分離部であって、その各々は互いに異なる波長を有するｎ（ｎは１≦ｎを満たす整数）個の光信号を波長分割多重して得られたＷＤＭ信号光を供給されて、ｎ個の光信号に分離する第１の波長分離部と、ｋ個の波長群生成部であって、その各々は上記各第１の波長分離部から出力されたｎ個の光信号を供給されて、各々ｍ（ｍは１≦ｍを満たす整数）個の複数の対応する波長を有するｉ（ｉはｎ＝ｉｍを満たす整数）個の波長群を生成する波長群生成部と、ｉｋ個の第１の波長多重部であって、その各々は上記各波長群生成部から出力された各波長群を供給されて、上記各波長群を波長分割多重してその結果得られたＷＤＭ波長群を出力する第１の波長多重部と、少なくともそれぞれｉｋ個の入力ポート及び出力ポートを有し、上記入力及び出力ポート間で上記ＷＤＭ波長群をルーティングするルーティング部と、ｉｋ個の第２の波長分離部であって、その各々は上記ルーティング部の各出力ポートから出力された上記ＷＤＭ波長群を供給されて、ｍ個の波長を有する波長群を出力する第２の波長分離部と、ｋｎ個の波長変換部であって、その各々は上記第２の波長分離部から出力された上記波長群の各光信号を上記ＷＤＭ信号光に対応するように波長変換する波長変換部と、ｋ個の第２の波長多重部であって、その各々は上記波長変換部から出力されたｎ個の光信号を波長分割多重してその結果得られたＷＤＭ信号光を出力する第２の波長多重部とを備え、上記各波長群生成部は、それぞれｎ個の入力ポート及び出力ポートを有し、上記入力及び出力ポート間で信号光のスイッチングをする光スイッチと、上記光スイッチのｎ個の各出力ポートから出力される光信号の波長を各々ｍ（ｍは１≦ｍを満たす整数）個の複数の対応する波長に変換するｎ個の波長変換部とを具備している。
【００１０】
本発明の他の側面によると、光クロスコネクト装置が提供される。この装置は、ｋ（ｋは１≦ｋを満たす整数）個の第１の波長分離部であって、その各々は互いに異なる波長を有するｎ（ｎは１≦ｎを満たす整数）個の光信号を波長分割多重して得られたＷＤＭ信号光を供給されて、ｎ個の光信号に分離する第１の波長分離部と、ｋ個の波長群生成部であって、その各々は上記各第１の波長分離部から出力されたｎ個の光信号を供給されて、各々ｍ（ｍは１≦ｍを満たす整数）個の複数の対応する波長を有するｉ（ｉはｎ＝ｉｍを満たす整数）個の波長群を生成する波長群生成部と、ｉｋ個の第１の波長多重部であって、その各々は上記各波長群生成部から出力された各波長群を供給されて、上記各波長群を波長分割多重してその結果得られたＷＤＭ波長群を出力する第１の波長多重部と、少なくともそれぞれｉｋ個の入力ポート及び出力ポートを有し、上記入力及び出力ポート間で上記ＷＤＭ波長群をルーティングするルーティング部と、ｉｋ個の第２の波長分離部であって、その各々は上記ルーティング部の各出力ポートから出力された上記ＷＤＭ波長群を供給されて、ｍ個の波長を有する波長群を出力する第２の波長分離部と、ｋｎ個の波長変換部であって、その各々は上記第２の波長分離部から出力された上記波長群の各光信号を上記ＷＤＭ信号光に対応するように波長変換する波長変換部と、ｋ個の第２の波長多重部であって、その各々は上記波長変換部から出力されたｎ個の光信号を波長分割多重してその結果得られたＷＤＭ信号光を出力する第２の波長多重部とを備え、上記各波長群生成部は、上記第１の波長分離部によりｎ個に分離された各光信号を電気信号にするｎ個の光／電気変換部と、それぞれｎ個の入力ポート及び出力ポートを有し、上記の光／電気変換部に変換されたｎ個の電気信号が供給され、上記入力及び出力ポート間で電気信号のスイッチングをする電気スイッチ部と、上記電気スイッチ部のｎ個の各出力ポートから出力される電気信号を各々ｍ（ｍは１≦ｍを満たす整数）個の複数の対応する波長の光信号に変換するｎ個の電気／光変換部とを具備している。
本発明の更に他の側面によれば、光クロスコネクト装置が提供される。この装置は、ｋ（ｋは１≦ｋを満たす整数）個の第１の波長分離部であって、その各々は互いに異なる波長を有するｎ（ｎは１≦ｎを満たす整数）個の光信号を波長分割多重して得られたＷＤＭ信号光を供給されて、ｎ個の光信号に分離する第１の波長分離部と、ｋ個の波長群生成部であって、その各々は上記各第１の波長分離部から出力されたｎ個の光信号を供給されて、各々ｍ（ｍは１≦ｍを満たす整数）個の複数の対応する波長を有するｉ（ｉはｎ＝ｉｍを満たす整数）個の波長群を生成する波長群生成部と、ｉｋ個の第１の波長多重部であって、その各々は上記各波長群生成部から出力された各波長群を供給されて、上記各波長群を波長分割多重してその結果得られたＷＤＭ波長群を出力する第１の波長多重部と、少なくともそれぞれｉｋ個の入力ポート及び出力ポートを有し、上記入力及び出力ポート間で上記ＷＤＭ波長群をルーティングするルーティング部と、ｉｋ個の第２の波長分離部であって、その各々は上記ルーティング部の各出力ポートから出力された上記ＷＤＭ波長群を供給されて、ｍ個の波長を有する波長群を出力する第２の波長分離部と、ｋｎ個の波長変換部であって、その各々は上記第２の波長分離部から出力された上記波長群の各光信号を上記ＷＤＭ信号光に対応するように波長変換する波長変換部と、ｋ個の第２の波長多重部であって、その各々は上記波長変換部から出力されたｎ個の光信号を波長分割多重してその結果得られたＷＤＭ信号光を出力する第２の波長多重部とを備え、上記各波長群生成部は、上記第１の波長分離部によりｎ個に分離された各光信号をｊ（ｊは２≦ｊを満たす整数）個の低速の時分割分離信号に分離するｎ個の時分割信号分離部と、それぞれｎｊ個の入力ポート及び出力ポートを有し、上記ｎ個の時分割信号分離部より出力されたｎｊ個の時分割分離信号が供給され、上記入力及び出力ポート間でスイッチングをする時分割信号空間スイッチ部と、上記時分割信号空間スイッチ部のｎｊ個の各出力ポートから出力されるｊ個の時分割分離信号を時分割多重信号に多重化し、該時分割多重信号を各々ｍ（ｍは１≦ｍを満たす整数）個の複数の対応する波長の光信号に変換するｎ個の時分割信号多重部とを具備している。
【００１１】
【発明の実施の形態】
以下、本発明の望ましい実施の形態を詳細に説明する。
【００１２】
図４を参照すると、本発明を適用可能な光ネットワークの構成が示されている。本発明では、トラフィックの増加により、ある光クロスコネクト装置ＸＣ（＃１）から他の光クロスコネクト装置ＸＣ（＃４）へ１〜ｍ本の光パスが設定される場合に、それらを波長群ｍとして波長λ1〜λmの波長を波長分割多重したまま一括でルーティングするものである。図示された例では、光クロスコネクト装置ＸＣ（＃１及び＃４）間には、更に他の光クロスコネクト装置ＸＣ（＃２及び＃３）が設定されており、これらを経由して波長群ｍがルーティングされている。
【００１３】
図５は本発明による光クロスコネクト装置の実施形態を示すブロック図である。この光クロスコネクト装置は、ｋ（ｋは１≦ｋを満たす整数）個の第１の波長分離部２８と、ｋ個の波長群生成部３０と、ｉｋ（ｉはｎ＝ｉｍを満たす整数、ｎは１≦ｎを満たす整数、ｍは１≦ｍを満たす整数）個の第１の波長多重部３２と、ルーティング部３４と、ｉｋ個の第２の波長分離部３６と、ｋｎ個の波長変換部３８と、ｋ個の第２の波長多重部４０とを少なくとも備えている。
【００１４】
各第１の波長分離部２８は、光伝送路４（図１参照）に接続され、各第１の波長分離部２８は、互いに異なる波長λ1〜λnを有するｎ個の光信号を波長分割多重して得られたＷＤＭ信号光を供給されて、ｎ個の光信号に分離する。
【００１５】
各波長群生成部３０は、各第１の波長分離部２８から出力されたｎ個の光信号を供給されて、各々ｍ個の複数の対応する波長を有するｉ個の波長群を生成する。
【００１６】
各第１の波長多重部３２は、各波長群生成部３０から出力された各波長群を供給されて、各波長群を波長分割多重してその結果得られたＷＤＭ波長群を出力する。
【００１７】
ルーティング部３４は、少なくともそれぞれｉｋ個の入力ポート及び出力ポートを有している。ルーティング部３４は、入力及び出力ポート間でＷＤＭ波長群をルーティングする。
【００１８】
各第２の波長分離部３６は、ルーティング部３４の各出力ポートから出力されたＷＤＭ波長群を供給されて、ｍ個の波長λ1〜λmを有する波長群を出力する。各波長変換部３８は、第２の波長分離部３６から出力された波長群の各光信号を前述したＷＤＭ信号光に対応するように波長変換する。
【００１９】
各第２の波長多重部４０は、波長変換部３８から出力されたｎ個の光信号を波長分割多重してその結果得られたＷＤＭ信号光を出力する。
【００２０】
特に、この実施形態では、ルーティング部３４を他の通信装置（例えば図１に示される電気クロスコネクト装置１０）と接続するために、ルーティング部３４には入力リンク４２及び出力リンク４４が接続されている。入力リンク４２は、各々ｍ個の複数の対応する波長を有するＬ（Ｌは１≦Ｌを満たす整数）個の波長群を生成するためのｍＬ個の波長変換部４６と、第１の波長多重部３２に対応して設けられたＬ個の波長多重部４８とを含む。
【００２１】
出力リンク４４は、第２の波長分離部３６に対応して設けられるＬ個の波長分離部５０と、波長変換部３８に対応して設けられるｍＬ個の波長変換部５２とを含む。
【００２２】
図５に示される実施形態によると、入力光伝送路４から供給されたＷＤＭ信号光を同じ宛先の光クロスコネクト装置（例えば図４に示される光クロスコネクト装置ＸＣ（＃１）から光クロスコネクト装置ＸＣ（＃４）を想定）に転送される各波長群単位（λ1〜λm）に分離し、各波長群単位でルーティング部３４に入力するようにしている。これにより、ルーティング部３４は、波長単位のルーティングではなく、波長群単位でルーティングすることができ、装置の大幅な小型化が可能となる。
【００２３】
図６を参照すると、本発明による光クロスコネクト装置の実施形態が示されている。この実施形態は、図５に示されるｋ個の波長群生成部３０の各々がｎ個の波長変換部５４を含んでいる点で特徴付けられる。波長変換部５４は、第１の波長分離部２８から出力されたｎ個の光信号を波長変換して、各々ｍ個の複数の対応する波長を有するｉ個の波長群を生成する。各波長変換部５４としては、光／電気変換を伴わない波長変換器を用いることができるし、光／電気変換器及び電気／光変換器を用いた波長変換器を用いることもできる。
【００２４】
図７を参照すると、本発明による光クロスコネクト装置の実施形態が示されている。この実施形態は、図５に示されるｋ個の波長群生成部３０の各々が波長スイッチ部５６を含む点で特徴付けられる。波長スイッチ部５６はｎ×ｎの波長スイッチによって提供され得る。波長スイッチ部５６は、第１の波長分離部２８から出力された波長λ1〜λnの光信号の各々を第１の波長多重部３２の任意のポートに出力するように機能する。
【００２５】
図８を参照すると、本発明による光クロスコネクト装置の実施形態が示されている。この実施形態は、図５に示されるｋ個の波長群生成部３０の各々が、ｎ個の時分割信号分離部５８と、時分割信号空間スイッチ部６０と、ｎ個の時分割信号多重部６２とを含んでいる点で特徴付けられる。各時分割信号分離部５８は、第１の波長分離部２８から出力されるｎ個の光信号の各々を、その光信号の中で多重されている低速（その光信号の速度の１／ｊ）の時分割多重信号に分離する。これにより、入力光信号に多重されていた低速（ｊ次）の低速信号が得られる。これらの低速信号は時分割信号空間スイッチ部６０に供給される。スイッチ部６０はｎｊ×ｎｊの電気スイッチにより構成され得る。スイッチ部６０から出力された信号は時分割信号多重部６２により波長λ1〜λmの光信号に変換され、これにより波長群生成部３０（図５）の機能が得られる。
【００２６】
ところで、ＷＤＭが適用されるシステムにおいては、システム構築直後には使用する波長チャネルが少なく、伝送容量の増加に従って、その後徐々に波長チャネルを増設していくことがある。このような場合に適した実施形態を図９及び図１０等により説明する。
【００２７】
図９は本発明による光クロスコネクト装置において波長に対する拡張性を持たせた入出力インタフェースの構成を示すブロック図である。入力インタフェースにおいては、システム構築当初例えば波長λ1〜λaまでの波長群を処理する波長群生成部を拡張単位３０Ａとして一つ設け、出力インタフェースにおいては、入力インタフェースに対応して波長λ1〜λaまでの波長群を処理する第２の波長変換部を拡張単位３８Ａとして設けておく。そして、これらを拡張単位として波長数が増えるに従って徐々に拡張単位を追加しておくことによって、システムを構築する上での初期コストを抑えることができる。
【００２８】
図１０は本発明による光コネクト装置において波長に対する拡張性を持たせた入力インタフェース部の構成を示す図である。図６に示される波長群生成部３０の具体的構成において、システム構築当初は例えば波長λ1〜λaまでの波長群を波長変換する波長変換部を拡張単位５４Ａとして一つ設けておき、これを増設単位として、伝送容量の増大に従って波長数が増加する毎に増設単位を順次追加していくものである。これにより、システム構築当初の初期サイズ及びコストを抑えることができる。
【００２９】
図１１は図７に示される波長スイッチ部５６の具体的構成を示す図である。ここでは、波長スイッチ部５６は、第１の波長分離部２８から出力されたｎ個の光信号が供給されるｎ×ｎ光スイッチ６４と、光スイッチ６４と第１の波長多重部３２との間に設けられるｎ個の波長変換部６６とを含む。
【００３０】
例えば、図１２に示されるように、ノードＡからの８波で構成される波長群とノードＢからの８波で構成される波長群の宛先がそれぞれノードＤに４波ずつ、ノードＥに４波ずつであるような場合、経路の途中にあるノードＣの波長スイッチ部５６において、ノードＡからの４波とノードＢからの４波を一つの波長群に再編集することにより、ルーティング部３４では８波の波長群としてこれまで説明したのと同様にルーティングすることができる。
【００３１】
図１３は本発明による光コネクト装置において波長に対する拡張性を持たせた入力インターフェイスのブロック図である。ここでは、図１１に示される波長スイッチ部５６の具体的構成において、波長λ1〜λaを波長群の拡張単位とし、波長数が少ないときは、λ1〜λiaで入力される波長をλ1〜λaに変換する波長変換部を拡張単位６６Ａとする。そして、入力波長がλ2ia，λ3ia，…，λnまで増えていくにつれ、λa+1〜λ2a，λ2a+1〜λ3a，…，λmまでの波長に変換する波長変換部を順次追加することにより、システムの初期サイズ及びコストを抑えることができる。
【００３２】
図１４は本発明による光クロスコネクト装置における入力インタフェース部の実施形態を示すブロック図である。より特定的には、図７に示される波長スイッチ部５６の具体的構成が示されている。ここでは、波長スイッチ部５６は、第１の波長分離部２８からのｎ個の光信号がそれぞれ供給されるｎ個の光／電気変換部６８と、光／電気変換部６８の出力が供給されるｎ×ｎ電気スイッチ部７０と、電気スイッチ部７０の出力が供給されるｎ個の電気／光変換部７２とを備えている。電気／光変換部７２は、対応する各第１の波長多重部３２に関して予め定められた波長の光信号を出力する。
【００３３】
この実施形態によると、図１１により説明した実施形態におけるのと同様に、図１２により説明した波長群の再編集を容易に行うことができる。また、そのように波長群の再編成を行うことによって、ルーティング部３４の規模を小さくすることができる。
【００３４】
図１５は図１４に示される入力インタフェースに拡張性を持たせた実施形態を示すブロック図である。この実施形態では、波長λ1〜λaを波長群の構成単位とし、波長数が少ないときには、波長λ1〜λiaで入力される光信号をそれぞれ電気信号に変換する光／電気変換部の拡張単位６８Ａと、電気スイッチ部７０から出力された電気信号を波長λ1〜λaの光信号に変換する電気／光変換部の拡張単位７２Ａとを用意する。そして、これらを増設単位とし、入力波長がλ2ia，λ3ia，…，λnまで増えていくのに従って、これに対応して光／電気変換部の拡張単位６８Ａを順次追加するとともに、λa+1〜λ2a，λ2a+1〜λ3a，…，λmまでの波長に変換する電気／光変換部の拡張単位７２Ａを順次追加していく。これにより、システムの初期サイズ及びコストを抑えることができる。
【００３５】
図１６は本発明による光クロスコネクト装置における入力インタフェースの実施形態を示すブロック図である。より特定的には、この入力インタフェース部は、図８に示される波長群生成部３０の具体的構成を示したものであり、時分割信号分離部５８、時分割信号空間スイッチ部６０及び時分割信号多重部６２にそれぞれ対応して光／電気変換・電気信号分離部７４、電気スイッチ部７６及び電気／光変換・電気信号多重部７８とがそれぞれ設けられている。
【００３６】
各光／電気変換・電気信号分離部７４は、第１の波長分離部２８から出力されたｎ個の光信号の各々を電気信号に変換し、更に低次（１／ｊ）の電気信号に分離する。光／電気変換・電気信号分離部７４はｎ個用いられているので、電気スイッチ部７６はｎｊ×ｎｊの電気スイッチにより提供される。これに伴い、電気／光変換・電気信号多重部７８もｎ個設けられており、各電気／光変換・電気信号多重部７８は電気スイッチ部７６から出力された低次の電気信号を再び時分割多重して更にこれを予め定められた波長の光信号に変換して出力する。
【００３７】
今、例えば、一つの波長の伝送速度が１０Ｇｂ／ｓから４０Ｇｂ／ｓに大きくなる場合を想定する。つまり、１０Ｇｂ／ｓの電気信号を４０Ｇｂ／ｓまで時分割多重して、その結果得られた信号を光信号に変換するような場合である。
【００３８】
図１７に示されるように、ノードＡからノードＢ及びノードＣを経由してノードＤ及びノードＥに転送される１０Ｇｂ／ｓ相当の時分割多重信号（Ｄ１，Ｅ１，Ｄ３，Ｅ３）及び（Ｄ２，Ｅ２，Ｄ４，Ｅ４）が各一つの波長に多重されており、また、ノードＢからノードＣを経由してノードＤ及びノードＥに転送される１０Ｇｂ／ｓ相当の時分割信号（Ｄ１，Ｅ１，Ｄ３，Ｅ３）及び（Ｄ２，Ｅ２，Ｄ４，Ｅ４）が各一つの波長に多重されている。ノードＣまでは、ノードＡからの２波及びノードＢからの２波がそれぞれ波長群としてルーティングされる。ノードＣでは、図８に示される時分割信号空間スイッチ部６０又は図１６に示される電気スイッチ部７６を用いて、時分割多重された信号を一旦分解するとともに、同じ宛先に向かう波長群の信号に再編集するものである。このように波長群の再編集を行うことによって、ルーティング部３４の規模を大幅に削減することができる。
【００３９】
図１９は本発明による光クロスコネクト装置における入力インタフェースの実施形態を示すブロック図である。この実施形態では、図１６に示される光／電気変換・電気信号分離部７４、電気スイッチ部７６及び電気／光変換・電気信号多重部７８に代えて、それぞれ、光／電気変換・電気信号分離・電気／光変換部８０，光スイッチ部８２及び光／電気変換・電気信号多重・電気／光変換部８４を設けている。つまり、電気信号によるスイッチングに代えて光信号によるスイッチングを行っているのである。この実施形態によっても、波長群の再編集を行うことが容易になり、ルーティング部の規模を小さくすることができる。
【００４０】
図１８及び図２０は本発明による光クロスコネクト装置において波長に対する拡張性を持たせた入力インタフェースの実施形態を示すブロック図である。ここでは、図１６に示される実施形態において、光／電気変換・電気信号分離部７４及び電気／光変換・電気信号多重部７８の構成単位として図１８に示される拡張単位７４Ａ及び拡張単位７８Ａを用いているように、図１９において、光／電気変換・電気信号分離・電気光変換部８０及び光／電気変換・電気信号多重・電気／光変換部８４のそれぞれの構成単位として図２０に示される拡張単位８０Ａ及び８４Ａを用いている。この実施形態によっても、図１８に示される実施形態と同様にして、システムの初期サイズ及びコストを抑えることができる。
【００４１】
図２１は本発明によるシステムにおける障害復旧を説明するための図である。例えば、図４に示されるように、光クロスコネクト装置ＸＣ（＃１）から光クロスコネクト装置ＸＣ（＃２及び＃３）をこの順に経由して光クロスコネクト装置ＸＣ（＃４）に至る波長群のルートが確保されている場合に、光クロスコネクト装置ＸＣ（＃２及び＃３）の間の光伝送路に障害が生じた場合に光クロスコネクト装置ＸＣ（＃２及び＃４）において波長群を切り替えることによって、波長λ1〜λmの波長群を一括して予備ルートに迂回させるものである。この予備ルートは、例えば光クロスコネクト装置ＸＣ（＃５）を含む。
【００４２】
この実施形態によると、障害復旧時に、波長群をその波長分割多重したままの状態で切り替えることができ、ルーティング部の規模を小さくすることができる。
【００４３】
以下、本発明の実施形態をより具体的に把握することができるようにするために、共通の具体的数値例を例示して幾つかの実施形態を説明する。ここでは、入力伝送路として３本、入力伝送路あたりの波長数を１６０波、局内伝送路からの入力チャネルとして１６０チャネル（３２波×５）、波長群の単位として３２波とした場合を説明する。その結果、ルーティングのために使用されるルーティング部３４としては、２０×２０光スイッチが用いられる。
【００４４】
図２２を参照すると、本発明による光クロスコネクト装置の実施形態が示されている。ここでは、図６に示される光クロスコネクト装置の具体例が示されている。第１の波長分離部２８として分波器が使用され、波長変換部５４，３８，４６及び５２として、３Ｒ（リシェイピング、リアンプリフィケーション及びリタイミング）トランスポンダが用いられており、第１の波長多重部３２として合波器が用いられており、ルーティング部３４として２０×２０光スイッチが用いられており、第２の波長分離部３６として分波器が用いられており、第２の波長多重部４０として合波器が用いられている。以下の実施例においては、共通の構成要素の具体例についての説明は省略されることがある。
【００４５】
図２３を参照すると、本発明による光クロスコネクト装置の実施形態が示されている。より特定的には、図７に示される光クロスコネクト装置において、図１１に示される入力インタフェースを用いた場合の具体例が示されている。
【００４６】
図２４を参照すると、本発明による光クロスコネクト装置の実施形態が示されている。より特定的には、図７に示される光クロスコネクト装置において、図１４に示される入力インタフェースを用いた場合における具体例が示されている。
【００４７】
図２５を参照すると、本発明による光クロスコネクト装置の実施形態が示されている。より特定的には図８に示される光クロスコネクト装置において、図１６に示される入力インタフェース部を用いた場合の具体例が示されている。
【００４８】
図２６を参照すると、本発明による光クロスコネクト装置の実施形態が示されている。より特定的には図８に示される光クロスコネクト装置において、図１９に示される入力インタフェースを用いた場合の具体例が示されている。
【００４９】
図２７は本発明による光クロスコネクト装置における波長に対する拡張性を持たせた入力インタフェースのブロック図である。より特定的には、図１０に示される実施形態の具体例が示されている。ここでは、ａ＝８とし、つまり、拡張単位５４Ａを８波ずつにした場合が示されている。
【００５０】
図２８は、本発明による光クロスコネクト装置において波長に対する拡張性を持たせた入力インタフェース部の実施形態を示すブロック図である。より特定的には、図１５に示される実施形態の具体例が示されている。ここでは、ａ＝８とし、つまり、拡張単位６８Ａ及び７２Ａとして８波ずつにした場合が示されている。拡張単位６８Ａの構成要素としては光受信機を用いることができ、拡張単位７２Ａの構成要素としては光送信機を用いることができる。光受信機及び光送信機の各々に代えて３Ｒトランスポンダを用いるとともに、電気スイッチ部７０に代えて光スイッチ部を用いても良い。
【００５１】
図２９は、本発明による光クロスコネクト装置において波長に対する拡張性を持たせた入力インタフェースの実施形態を示すブロック図である。より特定的には図１８及び２０の具体例が示されている。ここでは、ａ＝８とし、つまり、拡張単位として８波ずつにした場合が示されている。図１８に示される実施形態では、図８に示される時分割信号空間スイッチ部６０は電気スイッチ部７６であり、図２０に示される実施形態では、時分割信号空間スイッチ部６０は光スイッチ部８２である。
【００５２】
図３０を参照すると、本発明による光クロスコネクト装置において、波長に対する拡張性を持たせた出力インタフェースの実施形態を示すブロック図である。より特定的には、図９の実施形態における出力インタフェース部の具体例が示されている。ここでは、ａ＝８とし、つまり、拡張単位３８Ａを８波ずつにした場合が示されている。
【００５３】
図３１は本発明によるシステムにおける障害復旧の様子を説明するための図である。ここでは、図２１に示される実施形態の具体例が示されている。ここでは、ｍ＝３２とし、つまり、３２波からなる波長群が設定されている。動作は図２１に示される実施形態と同じである。
【００５４】
図３２は図３１により説明した障害復旧における光クロスコネクト装置の動作を説明するためのブロック図である。より特定的には図２２に示される光クロスコネクト装置が示されており、ここでは、図３１に示される光クロスコネクト装置ＸＣ（＃２）の動作が示されている。光クロスコネクト装置ＸＣ（＃２）は障害が生じた光伝送路を避けるように波長群を出力する必要があるので、それに伴って光スイッチ（ルーティング部）３４が異なる出力ポートに波長群を出力するように動作する。
【００５５】
図３３及び図３４は、本発明によるシステムにおけるパス切り替えを説明するための図である。これらの図において、四角印はノード（光クロスコネクト装置）を表しており、ノード間を接続しているのが光伝送路である。図３３に示される実施形態では、ある光伝送路に障害があった場合に、光パスが設定されるべき２つのノード間で全く別のルートに切り替えられるようにしている。一方、図３４に示される実施形態では、光伝送路に障害があった場合に、その障害が生じた光伝送路の両端のノード間で別のルートに切り替えられるようにしている。
【００５６】
図３５を参照すると、本発明によるシステムが示されている。ここでは、１５個の光クロスコネクト装置を設け、各対地毎に一本ずつパスをフルメッシュに接続した３×５格子網からなるネットワーク構成が示されている。図において、丸印は光クロスコネクト装置を表しており、丸印の中の数字は光クロスコネクト装置の番号を表しており、光クロスコネクト装置間を結ぶ直線は光伝送路を表しており、光伝送路の脇に付された数字は所要波長数を表している。
【００５７】
トラフィックが各対地毎にｍ倍になると、各光伝送路の脇に示した波長数がそれぞれｍ倍になる。従って、ｍ＝８とした場合、第１３ノード（光コネクト装置）に注目すると、図３６に示すように、入力及び出力伝送路の各々の数は３、波長数は１６０、また、局内のチャネル数は１１２（＝８×１４）となる。尚、図３６は図３５に示されるシステムに適用可能な光クロスコネクト装置を表しており、この装置は図２２の実施形態に対応している。
【００５８】
図３７を参照すると、ルーティング部としての光スイッチの所用素子数が従来例と本発明とで比較された結果が表として示されている。従来の波長単位の光クロスコネクト装置で図３６に示される光クロスコネクト装置と同等の機能を得ようとすると、２×２光スイッチの所用素子数は３５０４６４（＝５９２×５９２）となる。これに対して、本発明による光クロスコネクト装置では、波長群単位でのルーティングを行なうようにしているので、同素子数は５４７６（＝７４×７４）となり、要求される光スイッチの大幅な小型化が可能になる。
【００５９】
本発明は以下の付記を含むものである。
【００６０】
（付記１）  ｋ（ｋは１≦ｋを満たす整数）個の第１の波長分離部であって、その各々は互いに異なる波長を有するｎ（ｎは１≦ｎを満たす整数）個の光信号を波長分割多重して得られたＷＤＭ信号光を供給されて、ｎ個の光信号に分離する第１の波長分離部と、
ｋ個の波長群生成部であって、その各々は上記各第１の波長分離部から出力されたｎ個の光信号を供給されて、各々ｍ（ｍは１≦ｍを満たす整数）個の複数の対応する波長を有するｉ（ｉはｎ＝ｉｍを満たす整数）個の波長群を生成する波長群生成部と、
ｉｋ個の第１の波長多重部であって、その各々は上記各波長群生成部から出力された各波長群を供給されて、上記各波長群を波長分割多重してその結果得られたＷＤＭ波長群を出力する第１の波長多重部と、
少なくともそれぞれｉｋ個の入力ポート及び出力ポートを有し、上記入力及び出力ポート間で上記ＷＤＭ波長群をルーティングするルーティング部と、
ｉｋ個の第２の波長分離部であって、その各々は上記ルーティング部の各出力ポートから出力された上記ＷＤＭ波長群を供給されて、ｍ個の波長を有する波長群を出力する第２の波長分離部と、
ｋｎ個の波長変換部であって、その各々は上記第２の波長分離部から出力された上記波長群の各光信号を上記ＷＤＭ信号光に対応するように波長変換する波長変換部と、
ｋ個の第２の波長多重部であって、その各々は上記波長変換部から出力されたｎ個の光信号を波長分割多重してその結果得られたＷＤＭ信号光を出力する第２の波長多重部とを備えた光クロスコネクト装置。
【００６１】
（付記２）  付記１に記載の光クロスコネクト装置であって、
上記ルーティング部を他の通信装置と接続するための入力リンク及び出力リンクを更に備えた光クロスコネクト装置。
【００６２】
（付記３）  付記１に記載の光クロスコネクト装置であって、
上記各波長群生成部はｎ個の波長変換部を含む光クロスコネクト装置。
【００６３】
（付記４）  付記１に記載の光クロスコネクト装置であって、
上記各波長群生成部は上記各第１の波長分離部から出力されたｎ個の光信号の各々を上記各第１の波長多重部の任意の入力ポートに出力する波長スイッチ部を含む光クロスコネクト装置。
【００６４】
（付記５）  付記１に記載の光クロスコネクト装置であって、
上記各波長群生成部は、上記各第１の波長分離部から出力されたｎ個の光信号の各々を相対的に低速な時分割多重信号に分離するｎ個の時分割信号分離部と、上記時分割多重信号をスイッチングする時分割信号空間スイッチ部と、上記時分割信号空間スイッチ部の出力に基づき各々上記波長群を生成するｎ個の時分割信号多重部とを含む光クロスコネクト装置。
【００６５】
（付記６）  付記４に記載の光クロスコネクト装置であって、
上記波長スイッチ部は、上記第１の波長分離部から出力されたｎ個の光信号がそれぞれ供給されるｎ個の光／電気変換部と、上記光／電気変換部の出力が供給されるｎ×ｎの電気スイッチ部と、上記電気スイッチ部の出力が供給されるｎ個の電気／光変換部とを含む光クロスコネクト装置。
【００６６】
（付記７）  複数の光クロスコネクト装置を光伝送路で接続してなるシステムであって、
上記光クロスコネクト装置の少なくともひとつは、
ｋ（ｋは１≦ｋを満たす整数）個の第１の波長分離部であって、その各々は互いに異なる波長を有するｎ（ｎは１≦ｎを満たす整数）個の光信号を波長分割多重して得られたＷＤＭ信号光を供給されて、ｎ個の光信号に分離する第１の波長分離部と、
ｋ個の波長群生成部であって、その各々は上記各第１の波長分離部から出力されたｎ個の光信号を供給されて、各々ｍ（ｍは１≦ｍを満たす整数）個の複数の対応する波長を有するｉ（ｉはｎ＝ｉｍを満たす整数）個の波長群を生成する波長群生成部と、
ｉｋ個の第１の波長多重部であって、その各々は上記各波長群生成部から出力された各波長群を供給されて、上記各波長群を波長分割多重してその結果得られたＷＤＭ波長群を出力する第１の波長多重部と、
少なくともそれぞれｉｋ個の入力ポート及び出力ポートを有し、上記入力及び出力ポート間で上記ＷＤＭ波長群をルーティングするルーティング部と、
ｉｋ個の第２の波長分離部であって、その各々は上記ルーティング部の各出力ポートから出力された上記ＷＤＭ波長群を供給されて、ｍ個の波長を有する波長群を出力する第２の波長分離部と、
ｋｎ個の波長変換部であって、その各々は上記第２の波長分離部から出力された上記波長群の各光信号を上記ＷＤＭ信号光に対応するように波長変換する波長変換部と、
ｋ個の第２の波長多重部であって、その各々は上記波長変換部から出力されたｎ個の光信号を波長分割多重してその結果得られたＷＤＭ信号光を出力する第２の波長多重部とを備えているシステム。
【００６７】
【発明の効果】
以上説明したように、本発明によると、波長数の増加に対応した大規模な光ネットワークを構築するのに適した光クロスコネクト装置及びその装置を備えたシステムの提供が可能になるという効果が生じる。
【図面の簡単な説明】
【図１】図１は本発明を適用可能な光ネットワークを示すブロック図である。
【図２】図２は従来の光クロスコネクト装置を示すブロック図である。
【図３】図３は従来の他の光クロスコネクト装置を示すブロック図である。
【図４】図４は本発明によるシステム（光ネットワーク）を示すブロック図である。
【図５】図５は本発明による光クロスコネクト装置の実施形態を示すブロック図である。
【図６】図６は本発明による光クロスコネクト装置の実施形態を示すブロック図である。
【図７】図７は本発明による光クロスコネクト装置の実施形態を示すブロック図である。
【図８】図８は本発明による光クロスコネクト装置の実施形態を示すブロック図である。
【図９】図９は本発明による光クロスコネクト装置において波長に対する拡張性を持たせた入出力インタフェースのブロック図である。
【図１０】図１０は本発明による光クロスコネクト装置において波長に対する拡張性を持たせた入力インタフェースの実施形態を示すブロック図である。
【図１１】図１１は本発明による光クロスコネクト装置における入力インタフェースの実施形態を示すブロック図である。
【図１２】図１２は本発明の実施形態において波長スイッチを用いた波長群再編集を説明するための図である。
【図１３】図１３は本発明による光クロスコネクト装置において波長に対する拡張性を持たせた入力インタフェースの実施形態を示すブロック図である。
【図１４】図１４は本発明による光クロスコネクト装置における入力インタフェースの実施形態を示すブロック図である。
【図１５】図１５は本発明による光クロスコネクト装置において波長に対する拡張性を持たせた入力インタフェースの実施形態を示すブロック図である。
【図１６】図１６は本発明による光クロスコネクト装置における入力インタフェースの実施形態を示すブロック図である。
【図１７】図１７は本発明の実施形態において時分割信号空間スイッチを用いた波長群再編集を説明するための図である。
【図１８】図１８は本発明による光クロスコネクト装置において波長に対する拡張性を持たせた入力インタフェースの実施形態を示すブロック図である。
【図１９】図１９は本発明による光クロスコネクト装置における入力インタフェース部の実施形態を示すブロック図である。
【図２０】図２０は本発明による光クロスコネクト装置において波長に対する拡張性を持たせた入力インタフェースの実施形態を示すブロック図である。
【図２１】図２１は本発明によるシステムの実施形態における障害復旧を説明するための図である。
【図２２】図２２は本発明による光クロスコネクト装置の実施形態の具体例を示すブロック図である。
【図２３】図２３は本発明による光クロスコネクト装置の実施形態の具体例を示すブロック図である。
【図２４】図２４は本発明による光クロスコネクト装置の実施形態の具体例を示すブロック図である。
【図２５】図２５は本発明による光クロスコネクト装置の実施形態の具体例を示すブロック図である。
【図２６】図２６は本発明による光クロスコネクト装置の実施形態の具体例を示すブロック図である。
【図２７】図２７は本発明による光クロスコネクト装置において波長に対する拡張性を持たせた入力インタフェースの実施形態の具体例を説明するための図である。
【図２８】図２８は本発明による光クロスコネクト装置において波長に対する拡張性を持たせた入力インタフェースの実施形態の具体例を説明するための図である。
【図２９】図２９は本発明による光クロスコネクト装置において波長に対する拡張性を持たせた入力インタフェースの実施形態の具体例を説明するための図である。
【図３０】図３０は本発明による光クロスコネクト装置において波長に対する拡張性を持たせた出力インタフェースの具体例を説明するための図である。
【図３１】図３１は本発明によるシステムの実施形態における障害復旧を説明するための図である。
【図３２】図３２は図３１に示されるシステムに適用可能な光クロスコネクト装置の実施形態を示すブロック図である。
【図３３】図３３は本発明によるシステムの実施形態において伝送路障害に際してのルート切り替えを説明するための図である。
【図３４】図３４は本発明によるシステムの実施形態において伝送路障害に際してのルート切り替えの他の例を説明するための図である。
【図３５】図３５は１５個の光クロスコネクト装置を用いたフルメッシュ接続のネットワークを示すブロック図である。
【図３６】図３６は図３５に示されるネットワークに適用可能な光クロスコネクト装置の実施形態を示すブロック図である。
【図３７】図３７は光スイッチの所要素子数を従来例と本発明とで比較した結果を表として示す図である。
【符号の説明】
２  光クロスコネクト装置
４，６  光伝送路
８  光アンプ
２８  第１の波長分離部
３０  波長群生成部
３２  第１の波長多重部
３４  ルーティング部
３６  第２の波長分離部
３８  波長変換部
４０  第２の波長多重部
【図１】
0004209080.tif 000002
【図２】
0004209080.tif 000003
【図３】
0004209080.tif 000004
【図４】
0004209080.tif 000005
【図５】
0004209080.tif 000006
【図６】
0004209080.tif 000007
【図７】
0004209080.tif 000008
【図８】
0004209080.tif 000009
【図９】
0004209080.tif 000010
【図１０】
0004209080.tif 000011
【図１１】
0004209080.tif 000012
【図１２】
0004209080.tif 000013
【図１３】
0004209080.tif 000014
【図１４】
0004209080.tif 000015
【図１５】
0004209080.tif 000016
【図１６】
0004209080.tif 000017
【図１７】
0004209080.tif 000018
【図１８】
0004209080.tif 000019
【図１９】
0004209080.tif 000020
【図２０】
0004209080.tif 000021
【図２１】
0004209080.tif 000022
【図２２】
0004209080.tif 000023
【図２３】
0004209080.tif 000024
【図２４】
0004209080.tif 000025
【図２５】
0004209080.tif 000026
【図２６】
0004209080.tif 000027
【図２７】
0004209080.tif 000028
【図２８】
0004209080.tif 000029
【図２９】
0004209080.tif 000030
【図３０】
0004209080.tif 000031
【図３１】
0004209080.tif 000032
【図３２】
0004209080.tif 000033
【図３３】
0004209080.tif 000034
【図３４】
0004209080.tif 000035
【図３５】
0004209080.tif 000036
【図３６】
0004209080.tif 000037
【図３７】
0004209080.tif 000038